(57)【要約】【課題】嵌合具によって閉じた袋本体の開口部を容易に開封できる嵌合具及び嵌合具付き袋体を提供する。【解決手段】一対の帯状の第１の嵌合部材１２及び第２の嵌合部材１４を有し、第１の嵌合部材１２が、帯状の第１の基材１６と、第１の基材１６に長手方向に沿って設けられた第１の嵌合部１８と、を有し、第２の嵌合部材１４が、帯状の第２の基材２２と、第２の基材２２に長手方向に沿って設けられ、第１の嵌合部１８と着脱自在に嵌合する第２の嵌合部２４と、を有し、第１の基材１６の第１の嵌合部１８よりも第１の側縁１６ｂ側が、第１の基材１６の第２の側縁１６ｃ側に折り返され、かつ第１の基材１６における折り返された折り返し部分２０が間に挟まれるように第１の嵌合部１８と第２の嵌合部２４が嵌合される嵌合具１０。また、嵌合具１０を具備する嵌合具付き袋体。【選択図】図２
2015016017.tif 000002
【特許請求の範囲】
【請求項１】
一対の帯状の第１の嵌合部材及び第２の嵌合部材を有し、
前記第１の嵌合部材が、帯状の第１の基材と、前記第１の基材に長手方向に沿って設けられた第１の嵌合部と、を有し、
前記第２の嵌合部材が、帯状の第２の基材と、前記第２の基材に長手方向に沿って設けられ、前記第１の嵌合部と着脱自在に嵌合する第２の嵌合部と、を有し、
前記第１の基材の前記第１の嵌合部よりも第１の側縁側が、前記第１の基材の第２の側縁側に折り返され、かつ前記第１の基材における折り返された折り返し部分が間に挟まれるように前記第１の嵌合部と前記第２の嵌合部が嵌合される、嵌合具。
【請求項２】
前記第１の基材の折り返し部分が間に挟まれるように前記第１の嵌合部と前記第２の嵌合部が嵌合された状態において、前記第１の基材における前記第１の嵌合部と前記第２の嵌合部よりも前記第１の側縁側となる位置に、部分的に肉厚な肉厚部が形成されている、請求項１に記載の嵌合具。
【請求項３】
内容物を収容する袋本体と、前記袋本体に形成される開口部に沿うように前記袋本体の内面に取り付けられた請求項１又は２に記載の嵌合具と、を具備し、
前記第１の基材の第２の側縁が前記開口部側、前記第１の基材の折り返し端部が前記袋本体の底側となるように、かつ前記第１の基材の折り返し部分が前記袋本体の内面に固定されないように、前記嵌合具が取り付けられている、嵌合具付き袋体。
【請求項４】
前記第１の基材の折り返し部分が間に挟まれるように前記第１の嵌合部と前記第２の嵌合部が嵌合された状態において、前記第１の基材の折り返し端部から第１の側縁までの距離が、前記折り返し端部から前記袋本体に形成された開口部までの距離より長い、請求項３に記載の嵌合具付き袋体。
【発明の詳細な説明】
【技術分野】
【０００１】
本発明は、嵌合具及び嵌合具付き袋体に関する。
【背景技術】
【０００２】
食品、薬品、雑貨等を収容する袋体としては、内容物を収容する袋本体と、該袋本体の開口部近傍の内面に、該開口部を開閉自在に封じるように取り付けられた嵌合具と、を具備する嵌合具付き袋体が広く用いられている。
嵌合具としては、例えば、帯状の基材及び該基材の長手方向に沿って設けられた雄型嵌合部とを有する第１の嵌合部材と、帯状の基材及び該基材の長手方向に沿って設けられた雌型嵌合部とを有する第２の嵌合部材と、を有する嵌合具が挙げられる（例えば、特許文献１）。該嵌合具においては、雄型嵌合部と雌型嵌合部とが着脱自在に嵌合できるようになっている。袋本体の開口部近傍において向かい合う一方の内面に第１の嵌合部材の基材を取り付け、他方の内面に第２の嵌合部材の基材を取り付けて、雄型嵌合部と雌型嵌合部とを着脱させることで、袋本体の開口部の開閉が繰り返し行える。
【０００３】
このような嵌合具付き袋体においては、嵌合具によって開口部を開封する作業が難しいことがある。具体的には、嵌合具によって開口部を開封する際には、袋本体における第１の嵌合部材が取り付けられた側の開口端と、第２の嵌合部材が取り付けられた側の開口端とをそれぞれ把持し、それら各々の開口端を離間させるように引っ張ることで、雄型嵌合部を雌型嵌合部から脱離させて開封する。しかし、嵌合具によって開口部を閉じている状態では、袋本体の対向する開口端同士が密着した状態となりやすく、それぞれの開口端を把持することが難しい。そのため、袋体の開封に時間がかかることがある。
【先行技術文献】
【特許文献】
【０００４】
【特許文献１】特開２００３−１６０１４７号公報
【発明の概要】
【発明が解決しようとする課題】
【０００５】
本発明は、嵌合具によって閉じた袋本体の開口部を容易に開封できる嵌合具、及び該嵌合具を有する嵌合具付き袋体を提供する。
【課題を解決するための手段】
【０００６】
本発明の嵌合具は、一対の帯状の第１の嵌合部材及び第２の嵌合部材を有し、前記第１の嵌合部材が、帯状の第１の基材と、前記第１の基材に長手方向に沿って設けられた第１の嵌合部と、を有し、前記第２の嵌合部材が、帯状の第２の基材と、前記第２の基材に長手方向に沿って設けられ、前記第１の嵌合部と着脱自在に嵌合する第２の嵌合部と、を有し、前記第１の基材の前記第１の嵌合部よりも第１の側縁側が、前記第１の基材の第２の側縁側に折り返され、かつ前記第１の基材における折り返された折り返し部分が間に挟まれるように前記第１の嵌合部と前記第２の嵌合部が嵌合されることを特徴とする。
【０００７】
本発明の嵌合具においては、前記第１の基材の折り返し部分が間に挟まれるように前記第１の嵌合部と前記第２の嵌合部が嵌合された状態において、前記第１の基材における前記第１の嵌合部と前記第２の嵌合部よりも前記第１の側縁側となる位置に、部分的に肉厚な肉厚部が形成されていることが好ましい。
【０００８】
本発明の嵌合具付き袋体は、内容物を収容する袋本体と、前記袋本体に形成される開口部に沿うように前記袋本体の内面に取り付けられた本発明の嵌合具と、を具備し、前記第１の基材の第２の側縁が前記開口部側、前記第１の基材の折り返し端部が前記袋本体の底側となるように、かつ前記第１の基材の折り返し部分が前記袋本体の内面に固定されないように、前記嵌合具が取り付けられていることを特徴とする。
【０００９】
本発明の嵌合具付き袋体では、前記第１の基材の折り返し部分が間に挟まれるように前記第１の嵌合部と前記第２の嵌合部が嵌合された状態において、前記第１の基材の折り返し端部から第１の側縁までの距離が、前記折り返し端部から前記袋本体に形成された開口部までの距離より長いことが好ましい。
【発明の効果】
【００１０】
本発明の嵌合具を用いれば、嵌合具によって閉じた袋本体の開口部を容易に開封できる。
また、本発明の嵌合具付き袋体は、嵌合具によって閉じた袋本体の開口部を容易に開封できる。
【図面の簡単な説明】
【００１１】
【図１】本発明の嵌合具の一例を示した斜視図である。
【図２】図１の嵌合具のＡ−Ａ断面図である。
【図３】本発明の嵌合具における折り返し基材の他の例を示した断面図である。
【図４】本発明の嵌合具の他の例を示した斜視図である。
【図５】本発明の嵌合具の他の例を示した断面図である。
【図６】本発明の嵌合具の他の例を示した断面図である。
【図７】本発明の嵌合具付き袋体の一例を示した正面図である。
【図８】図７の嵌合具付き袋体のＢ−Ｂ断面図である。
【図９】図８の嵌合具付き袋体における嵌合具で閉じられた開口部を開封する様子を示した断面図である。
【図１０】本発明の嵌合具付き袋体の他の例を示した正面図である。
【図１１】本発明の嵌合具付き袋体の他の例を示した正面図である。
【図１２】本発明の嵌合具付き袋体の他の例を示した正面図である。
【図１３】図１２の嵌合具付き袋体のＣ−Ｃ断面図である。
【発明を実施するための形態】
【００１２】
＜嵌合具＞
本発明の嵌合具は、内容物を収容する袋本体の内面に、該袋本体に形成される開口部に沿うように取り付けられる嵌合具である。以下、本発明の嵌合具の一例を示して詳細に説明する。
【００１３】
本実施形態例の嵌合具１０は、図１及び図２に示すように、一対の帯状の第１の嵌合部材１２と第２の嵌合部材１４とを有する。
第１の嵌合部材１２は、帯状の第１の基材１６と、第１の基材１６の対向面１６ａに長手方向に沿って設けられた突条の第１の嵌合部１８と、を有する。
第２の嵌合部材１４は、帯状の第２の基材２２と、第２の基材２２の対向面２２ａに長手方向に沿って設けられ、第１の嵌合部１８と着脱自在に嵌合する第２の嵌合部２４とを有する。
【００１４】
この例の嵌合具１０では、第１の基材１６における第１の嵌合部１８から第１の側縁１６ｂまでの長さが、第２の基材２２における第２の嵌合部２４から第１の側縁２２ｂまでの長さよりも長くなっている。また、第１の基材１６における第１の嵌合部１８よりも第１の側縁１６ｂ側の一部が、第１の基材１６の第２の側縁１６ｃ側に折り返され、その折り返し部分２０が間に挟まれるように第１の嵌合部１８と第２の嵌合部２４が嵌合されるようになっている。
【００１５】
嵌合具１０は、袋本体に取り付けられる際、第１の基材１６の第２の側縁１６ｃ及び第２の基材２２の第２の側縁２２ｃが袋本体の開口部側、第１の基材１６における折り返し端部２０ａ及び第２の基材２２の第１の側縁２２ｂが袋本体に形成される底側となるように取り付けられる。
【００１６】
第１の基材１６は、第２の側縁１６ｃから、第１の嵌合部１８よりも第１の側縁１６ｂ側の一部までの範囲が袋本体の内面に取り付けられ、第１の基材１６の第１の側縁１６ｂ側における該袋本体の内面に取り付けられていない残りの部分が折り返し部分２０として折り返される。
第１の基材１６において袋本体に取り付けられる部分は、少なくとも内容物側においては、折り返し端部２０ａ近辺が袋本体の内面に取り付けられていることが好ましい。
【００１７】
第１の基材１６における折り返し部分２０は、嵌合具１０によって袋本体の開口部が閉じられる際に、図２に示すように、第１の嵌合部１８と第２の嵌合部２４の間に挟まれる。このとき、第１の基材１６の第１の側縁１６ｂは、第１の嵌合部１８及び第２の嵌合部２４よりも、第１の基材１６の第２の側縁１６ｃ側に位置している。
【００１８】
第１の基材１６における折り返し部分２０の形状は、この例では矩形であるが、矩形には限定されない。本発明では、第１の基材における折り返し部分の形状は、例えば、三角形状、半円状、台形状等であってもよい。
また、折り返し部分２０は、この例では第１の基材１６の長手方向に連続しているが、第１の基材１６の長手方向に沿って断続的になっていてもよい。
【００１９】
第１の基材１６の折り返し部分２０における第１の嵌合部１８と第２の嵌合部２４との間に挟まれる部分の厚みは、折り返し部分２０を挟んだ状態で第１の嵌合部１８と第２の嵌合部２４とを充分な嵌合強度で嵌合できる範囲であればよい。
また、第１の嵌合部材１２においては、第１の基材１６の折り返し部分２０を挟んだ状態で第１の嵌合部１８と第２の嵌合部２４とを充分な嵌合強度で嵌合できる範囲であれば、必ずしも折り返し部分２０の厚みが第１の基材１６の折り返し部分２０以外の部分の厚みよりも薄くなっていなくてもよい。例えば、第１の基材１６の厚みが、第１の側縁１６ｂから第２の側縁１６ｃまで一定になっていてもよい。
【００２０】
また、第１の基材１６の折り返し部分２０を間に挟むように第１の嵌合部１８と第２の嵌合部２４を嵌合した状態において、第１の基材１６の折り返し部分２０における第１の嵌合部１８及び第２の嵌合部２４よりも第１の側縁１６ｂ側には、部分的に肉厚な肉厚部２６が形成されていることが好ましい。これにより、後述のように第１の基材１６の折り返し部分２０における第１の側縁１６ｂ側を把持して引き上げることによって、嵌合具１０により閉じた開口部を開く際に、指が肉厚部２６に引っ掛かりやすくなる。そのため、第１の基材１６の折り返し部分２０を引き上げて第１の嵌合部１８と第２の嵌合部２４とを脱離させることがより容易になる。
【００２１】
この例の肉厚部２６の断面形状は、図２に示すように、第１の基材１６の折り返し部分２０における両方の面側に突き出た形状となっている。なお、肉厚部２６の断面形状は、該形状には限定されない。例えば、図３に示すように、第１の基材１６の折り返し部分２０の一方の面側のみに突き出た形状の肉厚部２６Ａであってもよい。
【００２２】
第１の基材１６は、特に限定されず、公知の嵌合具の基材に使用されるものが使用できる。第１の基材１６の材質としては、例えば、低密度ポリエチレン、線状低密度ポリエチレン、エチレン−酢酸ビニル共重合体、ポリプロピレン、エチレン−アクリル酸系共重合体等のポリオレフィン又はオレフィン系共重合体が挙げられる。第１の基材１６では、これらを単独で又は２種以上を組み合わせて用いることができる。
また、第１の基材１６は、融点又は軟化温度が相対的に低い樹脂からなるヒートシール層、及び、融点又は軟化温度が相対的に高い樹脂からなる耐熱層からなる複層としてもよい。
【００２３】
第１の基材１６は、１種の樹脂からなっていてもよく、２種以上の樹脂を含む樹脂組成物からなっていてもよい。
また、第１の基材１６は、積層フィルムには限定されず、単層フィルムであってもよい。
第２の基材２２の材質は、特に限定されず、例えば、第１の基材１６で挙げた材質と同じものが挙げられる。
【００２４】
第１の嵌合部１８は、第１の基材１６の対向面１６ａに、第１の基材１６の長手方向に沿って突条に設けられている。第１の嵌合部１８は、図２に示すように、第１の基材１６の対向面１６ａから立ち上がる幹部１８ａと、幹部１８ａの先端部に設けられ、幹部１８ａよりも大きい断面略半円形状の頭部１８ｂを有する雄型嵌合部である。
第２の嵌合部２４は、第２の基材２２の対向面２２ａに、第２の基材２２の長手方向に沿って突条に設けられている。第２の基材２２は、図２に示すように、第２の基材２２の対向面２２ａから断面円弧状に立ち上がる第１のアーム部２４ａと第２のアーム部２４ｂからなり、第１のアーム部２４ａと第２のアーム部２４ｂによって凹部２４ｃが形成されている雌型嵌合部である。
【００２５】
第１の嵌合部１８と第２の嵌合部２４は、第１の嵌合部１８の頭部１８ｂを第２の嵌合部２４の凹部２４ｃに嵌め込むことで、着脱自在に嵌合できるようになっている。嵌合具１０の第１の嵌合部１８と第２の嵌合部２４を着脱自在に嵌合することで、袋本体に形成された開口部を開閉自在に封じることができる。
【００２６】
第２の嵌合部２４の凹部２４ｃは、第１の嵌合部１８の頭部１８ｂよりも一回り大きくなっており、第１の嵌合部１８及び第２の嵌合部２４を嵌合した状態において、第２の嵌合部２４の内面と第１の嵌合部１８の外面との間に、第１の基材１６の折り返し部分２０の厚みとほぼ同等の隙間が形成されている。嵌合具１０では、第１の嵌合部１８及び第２の嵌合部２４は、それら第１の嵌合部１８と第２の嵌合部２４の間に第１の基材１６の折り返し部分２０を挟んだ状態で嵌合するようになっている。
【００２７】
第１の嵌合部１８及び第２の嵌合部２４の断面形状は、第１の基材１６の折り返し部分２０を間に挟むように第１の嵌合部１８と第２の嵌合部２４とを嵌合することで、袋本体の開口部を閉じることができるものであればよく、公知の断面形状を採用できる。
第１の嵌合部１８及び第２の嵌合部２４の材質としては、公知のものが使用でき、例えば、第１の基材１６で挙げた材質と同じ材質等が使用できる。第１の嵌合部１８及び第２の嵌合部２４には、第１の基材１６に用いた樹脂よりも融点又は軟化温度が高い樹脂を用いることが好ましい。
【００２８】
嵌合具１０の製造方法は、特に限定されず、例えば、第１の嵌合部材と第２の嵌合部材をそれぞれ押出成形によって形成する方法等が挙げられる。
【００２９】
（作用効果）
以上説明した嵌合具１０においては、第１の基材１６の折り返し部分２０を利用することで、嵌合具１０によって閉じた袋本体の開口部を容易に開くことができる。
具体的には、嵌合具１０によって袋本体の開口部を閉じた状態においては、第１の基材１６における、第１の嵌合部１８よりも第１の側縁１６ｂ側の袋本体の内面に取り付けられていない折り返し部分２０が、第１の基材１６の第２の側縁１６ｃ側に折り返され、第１の嵌合部１８と第２の嵌合部２４の間に挟まれる。このとき、第１の基材１６の第１の側縁１６ｂは、第１の嵌合部１８及び第２の嵌合部２４よりも、第１の基材１６の第２の側縁１６ｃ側に位置している。つまり、第１の基材１６の第２の側縁１６ｃ側を開口部側として嵌合具１０を袋本体に取り付けた状態では、第１の基材１６の第１の側縁１６ｂも、第１の嵌合部１８及び第２の嵌合部２４よりも開口部側に位置している。
【００３０】
嵌合具１０によって閉じた開口部を開く際には、第１の嵌合部１８及び第２の嵌合部２４よりも開口部側に位置している、第１の基材１６の折り返し部分２０の第１の側縁１６ｂ側を把持し、折り返し部分２０を引っ張って引き伸ばす。このとき、引き伸ばされた折り返し部分２０によって、第１の嵌合部１８の頭部１８ｂが第２の嵌合部２４の凹部２４ｃから引き出されて脱離する。このように、第１の基材１６の折り返し部分２０を利用することで、嵌合具１０によって閉じられた袋本体の開口部を容易に開くことができる。
【００３１】
以上説明したように、本発明の嵌合具では、第１の基材の折り返し部分における第１の嵌合部及び第２の嵌合部よりも開口部側を引っ張り、折り返し部分を引き伸ばすことで、嵌合具によって閉じられた袋本体の開口部を容易に開封することができる。
【００３２】
なお、本発明の嵌合具は、前記した嵌合具１０には限定されない。
例えば、本発明の嵌合具は、図４に例示した嵌合具１０Ａであってもよい。図４において図１と同じ部分については同符号を付して説明を省略する。
嵌合具１０Ａは、第１の嵌合部材１２の代わりに、第１の基材１６Ａの長手方向において折り返し部分２０Ａが部分的に形成された第１の嵌合部材１２Ａを有する以外は、嵌合具１０と同じである。嵌合具１０Ａにおいても、部分的に形成された折り返し部分２０Ａを把持して引き伸ばすことで、第１の嵌合部１８と第２の嵌合部２４とを容易に脱離させることができる。
折り返し部分２０Ａの幅は、嵌合具１０Ａを取り付ける袋本体の開口部の幅等を考慮し、該開口部を開くことができるように適宜決定すればよい。
【００３３】
また、本発明の嵌合具は、図５に例示した嵌合具１０Ｂであってもよい。図５において図１と同じ部分については同符号を付して説明を省略する。
嵌合具１０Ｂは、第１の嵌合部１８Ｂが雌型嵌合部である第１の嵌合部材１２Ｂと、第２の嵌合部２４Ｂが雄型嵌合部である第２の嵌合部材１４Ｂを有する以外は、嵌合具１０と同じである。
【００３４】
嵌合具１０Ｂのように、第１の嵌合部が雌型嵌合部である嵌合具では、開口部を開いて内容物を取り出すときに、第１の基材の折り返し部分が雌型嵌合部を覆った状態となる。そのため、内容物が雌型嵌合部の凹部内に入り込んで雄型嵌合部と雌型嵌合部の嵌合が困難になることを抑制しやすい。
また、第１の嵌合部及び第２の嵌合部を雄型嵌合部及び雌型嵌合部の組み合わせとする場合、雌型嵌合部において袋本体の内容物側に配置されるアーム部を変形させて雄型嵌合部の頭部を脱離させやすい点でも、嵌合具１０Ｂのように、第１の嵌合部が雄型嵌合部であることが好ましい。
【００３５】
また、本発明の嵌合具は、第１の基材における折り返し部分の第１の側縁側に肉厚部が形成されていなくてもよい。また、嵌合具１０では、第１の基材１６の折り返し部分２０における第１の側縁１６ｂ側の先端部に肉厚部２６が形成されていたが、第１の基材の折り返し部分を把持する際に肉厚部に指が引っ掛かる範囲であれば、肉厚部の位置は折り返し部分の先端部でなくてもよい。具体的には、例えば、図６に例示した嵌合具１０Ｃであってもよい。図６において図１と同じ部分については同符号を付して説明を省略する。
嵌合具１０Ｃは、第１の基材１６の折り返し部分２０における第１の嵌合部１８及び第２の嵌合部２４よりも第１の側縁１６ｂ側において、第１の側縁１６ｂよりも折り返し端部２０ａ側に肉厚部２６Ｃが形成されている第１の嵌合部材１２Ｃを有する以外は、嵌合具１０と同じである。
【００３６】
また、本発明の嵌合具は、第１の嵌合部と第２の嵌合部をそれぞれ複数の雄型嵌合部からなる嵌合部とし、各々の雄型嵌合部の頭部を対向する２つの雄型嵌合部の間にそれぞれ挿入するように互いに嵌め込むことで、袋本体の開口部を開閉する嵌合具であってもよい。
また、本発明の嵌合具は、第１の嵌合部と第２の嵌合部をそれぞれ１つ以上の雌型嵌合部とし、それら雌型嵌合部同士を互いに嵌め込むことで、袋本体の開口部を開閉する嵌合具としてもよい。
【００３７】
＜嵌合具付き袋体＞
以下、本発明の嵌合具付き袋体の一例として、前記した嵌合具１０を具備する嵌合具付き袋体１（以下、「袋体１」という。）について図７及び図８に基づいて説明する。
本実施形態例の袋体１は、内容物を収容する袋本体３０と、袋本体３０の上部に形成された開口部３２に沿うように袋本体３０の内面に取り付けられた嵌合具１０と、を有する。
嵌合具１０は、袋本体３０に取り付けられる際、第１の基材１６の第２の側縁１６ｃ及び第２の基材２２の第２の側縁２２ｃが袋本体３０の開口部３２側、第１の基材１６の折り返し端部２０ａ及び第２の基材２２の第１の側縁２２ｂが袋本体３０の底側となるように取り付けられる。また、嵌合具１０は、第１の基材１６の折り返し部分２０が袋本体３０の内面に固定されないように、第１の基材１６における折り返し端部２０ａよりも第２の側縁１６ｃ側が部分的に袋本体３０の内面に取り付けられる。
【００３８】
袋本体３０は、一対の第１の平面部３４及び第２の平面部３６を有している。袋本体３０は、第１の平面部３４と第２の平面部３６における両方の側縁部３８，４０及び底縁部４２がヒートシールされることで袋状とされており、上部に開口部３２が形成されている。
【００３９】
袋本体３０の形状は、本実施形態では矩形である。ただし、袋本体３０の形状は矩形には限定されない。また、袋本体３０の大きさも特に限定されず、袋本体３０に収容する内容物によって適宜選定すればよい。
【００４０】
第１の平面部３４及び第２の平面部３６は、フィルム材で形成されていることが好ましい。
第１の平面部３４及び第２の平面部３６を形成するフィルム材は、ヒートシールによって嵌合具１０を溶着できるものであればよく、内面側からシーラント層と基材層を少なくとも有する積層フィルムが好ましい。
【００４１】
基材層の材質としては、二軸延伸ナイロン、二軸延伸ポリプロピレン等が挙げられる。
シーラント層の材質としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１の平面部３４と第２の平面部３６を形成するフィルム材は、シーラント層のみからなる単層フィルムであってもよい。
【００４２】
嵌合具１０は、袋本体３０の内面に、開口部３２に沿うように設けられている。より具体的には、第１の嵌合部材１２が、第１の平面部３４の内面に、袋本体３０の開口部３２に沿うように、袋本体３０の第１の側縁３０ａから第２の側縁３０ｂまで連続して取り付けられている。また、第２の嵌合部材１４が、第２の平面部３６の内面に、袋本体３０の開口部３２に沿うように、袋本体３０の第１の側縁３０ａから第２の側縁３０ｂまで連続して取り付けられている。
【００４３】
また、袋体１では、図７に示すように、嵌合具１０の第１の基材１６の折り返し部分２０における長手方向の両方の端部が部分的に切除されており、袋本体３０の両方の側縁部３８，４０において第１の基材１６の折り返し部分２０が第１の平面部３４及び第２の平面部３６に固定されないようになっている。このように、第１の基材１６の折り返し部分２０が第１の平面部３４及び第２の平面部３６に固定されていないことで、折り返し部分２０を把持して引き伸ばすことが可能となっている。
【００４４】
第１の基材１６の折り返し部分２０を間に挟むように第１の嵌合部１８と第２の嵌合部２４が嵌合された状態において、第１の基材１６の折り返し端部２０ａから第１の側縁１６ｂまでの距離ｄ１は、第１の基材１６の折り返し端部２０ａから袋本体３０の開口部３２までの距離ｄ２よりも長くなっていることが好ましい。これにより、第１の基材１６の折り返し部分２０を間に挟むように第１の嵌合部１８と第２の嵌合部２４が嵌合された状態において、第１の基材１６の折り返し部分２０の第１の側縁１６ｂ側の一部が袋本体３０の外部に露出する。
【００４５】
袋体１では、このように、嵌合具１０によって袋本体３０の開口部３２を閉じた際に、第１の基材１６の折り返し部分２０が第１の嵌合部１８と第２の嵌合部２４の間に挟まれて、第１の基材１６の折り返し部分２０の先端部分が外部に露出するようになっている。そのため、第１の基材１６の折り返し部分２０を用いて袋本体３０の開口部３２を容易に開封することができる。
具体的には、嵌合具１０によって閉じられた袋本体３０の開口部３２を開封する際に、第１の基材１６の折り返し部分２０における袋本体３０の外部に露出している部分を把持し、上方に引き上げる。これにより、図９に示すように、第１の基材１６の折り返し部分２０が引き伸ばされ、それに伴って第１の嵌合部１８の頭部１８ｂが第２の嵌合部２４の凹部２４ｃから引き出されて脱離する。このように、第１の基材１６の折り返し部分２０を用いることで、嵌合具１０によって閉じられた袋本体３０の開口部３２を容易に開くことができる。
【００４６】
前記距離ｄ１と距離ｄ２の差（ｄ１−ｄ２）は、第１の基材１６の折り返し部分２０を把持して上方に引き上げることができるように適宜設定すればよい。
差（ｄ１−ｄ２）は、１〜２０ｍｍが好ましく、５〜１５ｍｍがより好ましい。差（ｄ１−ｄ２）が下限値以上であれば、第１の基材１６の折り返し部分２０における袋本体３０の外部に露出した部分を把持して上方に引き上げることが容易になるため、嵌合具１０によって閉じた袋本体３０の開口部３２を開くことがより容易になる。差（ｄ１−ｄ２）が上限値以下であれば、第１の基材１６の折り返し部分２０における袋本体３０の外部に露出した部分が邪魔になり難い。
【００４７】
袋体１の製造方法は、特に限定されず、例えば、嵌合具１０を用いる以外は公知の方法を採用することができる。
【００４８】
（作用効果）
袋体１では、袋本体３０の上部に形成された開口部３２を嵌合具１０によって開閉自在に閉じることができる。具体的には、第１の嵌合部１８と第２の嵌合部２４の間に第１の基材１６の折り返し部分２０が挟まれ、折り返し部分２０の第１の側縁１６ｂ側の一部が袋本体３０の外部に露出するように、第１の嵌合部１８と第２の嵌合部２４とを嵌合させて袋本体３０の開口部３２を閉じる。
袋本体３０の開口部３２を開く際には、第１の基材１６の折り返し部分２０における袋本体３０の外部に露出している部分を把持し、上方に引き上げる。これにより、図９に示すように、第１の基材１６の折り返し部分２０が引き伸ばされて緊張状態となり、その引き伸ばされた折り返し部分２０によって第２の嵌合部２４の凹部２４ｃ内から第１の嵌合部１８の頭部１８ｂが引き出される。このように、第１の基材１６の折り返し部分２０が引き伸ばされることで、第１の嵌合部１８と第２の嵌合部２４の嵌合が解除され、袋本体３０の開口部３２が開かれる。
【００４９】
従来の嵌合具付き袋体では、嵌合具によって閉じた袋本体の開口部を開く場合、前述したように、袋本体の対向する開口端をそれぞれ把持してそれらを離間させるように引っ張る必要がある。しかし、嵌合具によって開口部が閉じられた状態においては、袋本体の各々の開口端は密着しやすく、各々の開口端を把持することが難しいことがある。
これに対して、袋体１では、嵌合具１０によって袋本体３０の開口部３２が閉じられた状態で、袋本体３０の各々の開口端３４ａ，３６ａが密着していたとしても、第１の基材１６の折り返し部分２０の第１の側縁１６ｂ側の一部が袋本体３０の外部に露出している。そのため、第１の基材１６の折り返し部分２０の第１の側縁１６ｂ側を容易に把持することができ、その結果、第１の基材１６の折り返し部分２０を利用して容易に開封作業が行える。
【００５０】
以上説明したように、本発明の嵌合具付き袋体では、第１の嵌合部及び第２の嵌合部に挟まれ、それらよりも開口部側に位置する折り返し基材を引き伸ばすことで、嵌合具によって閉じられた袋本体の開口部を容易に開封することができる。
【００５１】
なお、本発明の嵌合具付き袋体は、前記した袋体１には限定されない。
例えば、本発明の嵌合具付き袋体は、嵌合具の第１の基材における折り返し部分の第１の側縁側を把持して引き上げることができる範囲であれば、該折り返し部分の第１の側縁側が袋本体の外部に露出しないように嵌合具が取り付けられている嵌合具付き袋体であってもよい。
【００５２】
また、本発明の嵌合具付き袋体は、本発明の効果を損なわない範囲であれば、使用前の状態において、袋本体の内面における第１の基材及び第２の基材が取り付けられた部分よりも開口部側に、第１の基材の折り返し部分の第１の側縁側が、粘着テープ等により仮止めされていてもよい。
【００５３】
また、図１０に例示した嵌合具付き袋体２（以下、「袋体２」という。）であってもよい。図１０において図７と同じ部分については同符号を付して説明を省略する。
袋体２は、嵌合具１０の代わりに、帯状の第１の基材１６Ａの長手方向において部分的に１つの折り返し部分２０Ａが形成されている嵌合具１０Ａを有する以外は、袋体１と同じである。
【００５４】
袋体２のように、第１の基材１６Ａの長手方向に部分的に１つの折り返し部分２０Ａを設ける場合、折り返し部分２０Ａを設ける位置は、袋本体３０の開口部３２の幅方向における中央部となるようにすることが好ましい。これにより、嵌合具１０Ａによって閉じられた袋本体３０の開口部３２を、折り返し部分２０Ａを利用して開くことがより容易になる。
【００５５】
袋本体３０の開口部３２の幅ｄ４（図１０）に対する第１の基材１６Ａの折り返し部分２０Ａの幅ｄ３（図１０）の比（ｄ３／ｄ４）は、１／１〜１／２０が好ましく、１／１〜１／５がより好ましい。比（ｄ３／ｄ４）が下限値以上であれば、嵌合具１０Ａによって閉じられた袋本体３０の開口部３２を、第１の基材１６Ａの折り返し部分２０Ａを利用して開くことがより容易になる。
【００５６】
また、第１の基材の長手方向において部分的に折り返し部分を設ける場合、折り返し部分の数は１つには限定されず、２つ以上であってもよい。例えば、図１１に例示した嵌合具付き袋体３（以下、「袋体３」という。）であってもよい。図１１において図７と同じ部分については同符号を付して説明を省略する。
袋体３は、嵌合具１０の代わりに、第１の基材１６Ｄの長手方向において部分的に２つの折り返し部分２０Ｄが形成されている第１の嵌合部材１２Ｄを有する嵌合具１０Ｄを具備する以外は、袋体１と同じである。
第１の嵌合部材の第１の基材に折り返し部分を２つ設ける場合は、袋本体の開口部の幅方向の中央部に対して対称となる位置にそれら折り返し部分がそれぞれ位置するように設けられることが好ましい。
【００５７】
また、本発明の嵌合具付き袋体は、嵌合具１０Ｂ、嵌合具１０Ｃ等、前記した他の例の嵌合具を具備するものであってもよい。
【００５８】
また、本発明の嵌合具付き袋体では、嵌合具付き袋体の袋本体として知られる様々な形態の袋本体を採用できる。例えば、使用前には密封状態となっているものであってもよい。具体的には、例えば、図１２及び図１３に例示した嵌合具付き袋体４（以下、「袋体４」という。）であってもよい。図１２及び図１３において、図７及び図８と同じ部分については同符号を付して説明を省略する。
【００５９】
袋体４は、袋本体３０の代わりに、密封状態の袋本体３０Ａを有している以外は、袋体１と同じである。
袋本体３０Ａは、フィルム材からなる第１の平面部３４と第２の平面部３６とが重ね合わされ、それらの両方の側縁部３８，４０、底縁部４２及び上縁部４４が全てヒートシールされることで形成されており、密封された状態になっている。
また、袋本体３０Ａにおける嵌合具１０よりも上部側には、横方向に沿って切断補助線４６が設けられており、その端部にノッチ４８が形成されている。また、嵌合具１０の第１の基材１６における折り返し部分２０の第１の側縁１６ｂ側は、袋本体３０Ａにおける第１の嵌合部１８及び第２の嵌合部２４よりも上側において、折り畳まれて収容されている。
【００６０】
切断補助線４６は、袋本体３０Ａにおける嵌合具１０よりも上部を切断して開封するのを補助する線である。切断補助線４６としては、例えば、袋本体３０Ａの第１の平面部３４及び第２の平面部３６における切断補助線４６の部分をそれ以外の部分に比べて薄肉化した弱化線、ミシン目からなる弱化線、列状に形成された細孔からなる弱化線が挙げられる。また、切断補助線４６は、前記弱化線には限定されず、ハサミやカッター等で切断する位置を示す、印刷等で形成した線であってもよい。
切断補助線４６は、本実施形態では袋本体３０Ａの横方向に沿って形成されているが、この形態には限定されず、袋本体３０Ａの幅方向に対して傾斜して設けられていてもよい。
【００６１】
ノッチ４８の形状は、この例では三角形状であるが、特に限定されず、半円形状、直線状等であってもよい。
【００６２】
袋体４は、ノッチ４８から切断補助線４６に沿って袋本体３０Ａの上部を切断して除去することで、袋体１のように、上部に開口部を形成できる。上部に開口部を形成した後の袋体４は、袋体１と同様に、第１の基材１６の折り返し部分２０の第１の側縁１６ｂ側が袋本体３０Ａの外部に露出した形態となる。そのため、袋体４においても、袋体１と同様に、第１の基材１６の折り返し部分２０における袋本体３０Ａの外部に露出した部分を把持して引き上げることで、嵌合具１０によって閉じられた開口部を容易に開くことができる。
【符号の説明】
【００６３】
１〜４  嵌合具付き袋体
１０，１０Ａ〜１０Ｄ  嵌合具
１２，１２Ａ〜１２Ｄ  第１の嵌合部材
１４，１４Ｂ  第２の嵌合部材
１６，１６Ａ  第１の基材
１６ｂ  第１の側縁
１６ｃ  第２の側縁
１８  第１の嵌合部
２０，２０Ａ，２０Ｄ  折り返し部分
２０ａ  折り返し端部
２２  第２の基材
２４，２４Ｂ  第２の嵌合部
２６，２６Ａ，２６Ｃ  肉厚部
３０，３０Ａ  袋本体
３２  開口部
【図１】
2015016017.tif 000003
【図２】
2015016017.tif 000004
【図３】
2015016017.tif 000005
【図４】
2015016017.tif 000006
【図５】
2015016017.tif 000007
【図６】
2015016017.tif 000008
【図７】
2015016017.tif 000009
【図８】
2015016017.tif 000010
【図９】
2015016017.tif 000011
【図１０】
2015016017.tif 000012
【図１１】
2015016017.tif 000013
【図１２】
2015016017.tif 000014
【図１３】
2015016017.tif 000015